(57)【要約】通話用の電波を受信する通話信号受信アンテナと、前記通信信号アンテナが受信した電波の強度を検出する受信強度検出部と、前記受信強度検出部が検出した電波の強度に基づき、前記電波の強度に応じて予め決められた表現手法により画像を表示部に表示する表示モードを判定する判定部と、前記判定部により判定された表示モードに基づき、表示部を制御する表示制御部と、を備えることを特徴とする表示装置。
2013005736.tif 000002
【特許請求の範囲】
【請求項１】
通話用の電波を受信する通話信号受信アンテナと、
前記通信信号アンテナが受信した電波の強度を検出する受信強度検出部と、
前記受信強度検出部が検出した電波の強度に基づき、前記電波の強度に応じて予め決められた表現手法により画像を表示部に表示する表示モードを判定する判定部と、
前記判定部により判定された表示モードに基づき、表示部を制御する表示制御部と、
を備えることを特徴とする表示装置。
【請求項２】
前記表示部は、
二次元画像を表示する二次元表示部と
三次元画像を表示する三次元表示部とを備え、
前記判定部は、
前記受信強度検出部が検出した電波の強度が予め決められた表示次元判定閾値以上である場合、前記三次元表示部を利用して三次元画像を表示する表示モードであると判定し、前記表示次元閾値未満である場合、前記二次元表示部を利用して二次元画像を表示する表示モードであると判定する
ことを特徴とする請求項１に記載の表示装置。
【請求項３】
前記判定部は、
前記受信強度検出部が検出した電波の強度が予め決められた解像度判定閾値以上である場合、高低差のある所定の２つの解像度のうちの高い方の解像度で画像を表示する表示モードであると判定し、前記解像度判定閾値未満である場合、前記所定の２つの解像度のうちの低い方の解像度で画像を表示する表示モードであると判定する
ことを特徴とする請求項１または２に記載の表示装置。
【請求項４】
前記判定部は、
前記受信強度検出部が検出した電波の強度が予め決められたフレームレート判定閾値以上である場合、高低差のある所定の２つのフレームレートのうちの高い方のフレームレートで画像を表示する表示モードであると判定し、前記フレームレート判定閾値未満である場合、前記所定の２つのフレームレートのうちの低い方のフレームレートで画像を表示する表示モードであると判定する
ことを特徴とする請求項１または２に記載の表示装置。
【請求項５】
通話用の電波を受信するステップと、
受信した電波の強度を検出するステップと、
検出した電波の強度に基づき、前記電波の強度に応じて予め決められた表現手法により画像を表示部に表示する表示モードを判定するステップと、
判定された表示モードに基づき、表示部を制御するステップと、
を備えることを特徴とする表示制御方法。
【請求項６】
コンピュータを
通話用の電波を受信する手段、
受信した電波の強度を検出する手段、
検出した電波の強度に基づき、前記電波の強度に応じて予め決められた表現手法により画像を表示部に表示する表示モードを判定する手段、
判定された表示モードに基づき、表示部を制御する手段、
として機能させるためのプログラム。
【発明の詳細な説明】
【技術分野】
【０００１】
本発明は、表示装置、表示制御方法、およびプログラムに関する。
本願は、２０１１年７月７日に出願された特願２０１１−１５０８０１号に基づき優先権を主張し、その内容をここに援用する。
【背景技術】
【０００２】
平面状のディスプレイに画像（静止画、動画）、テキスト、メニューなどの表示データを三次元的に表示（３Ｄ表示）してユーザに立体視させる技術がある。
例えば、ユーザの右目と左目の視差を利用して３Ｄ表示を実現する技術がある。これは、互いに少しずらした右目用の表示データと左目用の表示データとを用意し、それら２つの表示データを同時に表示させる。この表示方法においては、右目用の表示データは右目で見えて左目では見えないように、かつ、左目用の表示データは左目で見えて右目では見えないようにするために、光の経路を遮断する電子式の視差バリア用の液晶パネルを適切な位置に配置することによって、表示データを立体に見せるようにしている。これは、一般的に、視差バリア方式と呼ばれる方法である。【０００３】
このような３Ｄ表示および一般的な２Ｄ表示が可能な液晶ディスプレイは、テレビ等に利用されており、ワンセグ等のテレビ受信が可能な携帯端末装置にも搭載されてきている（例えば、特許文献１参照）。
【先行技術文献】
【特許文献】
【０００４】
【特許文献１】特開２０１１−４４０５号公報
【発明の概要】
【発明が解決しようとする課題】
【０００５】
しかしながら、３Ｄ表示を行う場合、２Ｄ表示を行う場合に比べて多くの回路を駆動させる場合が多い。例えば、視差バリア方式を利用する場合、表示データを表示する表示用液晶パネルと、視差バリア用の液晶パネルとを、両方駆動させる必要がある。一方、２Ｄ表示を行う場合、表示用液晶パネルのみを駆動させればよい。
このため、通話用の受信レベルが低い環境で３Ｄ画像を表示する場合、多くの回路の駆動時に発生するノイズの影響により、携帯端末装置の通信が切断されたり、接続ができなかったりして、通信品質が低下する問題があった。【０００６】
本発明は、上記の事情を考慮してなされたものであり、通信機能を備えた表示装置において表示部に画像を表示している状態における通信品質の劣化を軽減させることができる表示装置、表示制御方法、およびプログラムを提供することを目的とする。
【課題を解決するための手段】
【０００７】
この発明は上述した課題を解決するためになされたもので、本発明は、通話用の電波を受信する通話信号受信アンテナと、前記通信信号アンテナが受信した電波の強度を検出する受信強度検出部と、前記受信強度検出部が検出した電波の強度に基づき、前記電波の強度に応じて予め決められた表現手法により画像を表示部に表示する表示モードを判定する判定部と、前記判定部により判定された表示モードに基づき、表示部を制御する表示制御部と、を備える表示装置を提供する。【０００８】
上述の表示装置において、典型例として、前記表示部は、二次元画像を表示する二次元表示部と、三次元画像を表示する三次元表示部とを備え、前記判定部は、前記受信強度検出部が検出した電波の強度が予め決められた表示次元判定閾値以上である場合、前記三次元表示部を利用して三次元画像を表示する表示モードであると判定し、前記表示次元閾値未満である場合、前記二次元表示部を利用して二次元画像を表示する表示モードであると判定する。【０００９】
上述の表示装置において、好適例として、前記判定部は、前記受信強度検出部が検出した電波の強度が予め決められた解像度判定閾値以上である場合、高低差のある所定の２つの解像度のうちの高い方の解像度で画像を表示する表示モードであると判定し、前記解像度判定閾値未満である場合、前記所定の２つの解像度のうちの低い方の解像度で画像を表示する表示モードであると判定する。【００１０】
上述の表示装置において、別の好適例として、前記判定部は、前記受信強度検出部が検出した電波の強度が予め決められたフレームレート判定閾値以上である場合、高低差のある所定の２つのフレームレートのうちの高い方のフレームレートで画像を表示する表示モードであると判定し、前記フレームレート判定閾値未満である場合、前記所定の２つのフレームレートのうちの低い方のフレームレートで画像を表示する表示モードであると判定する。【００１１】
本発明はまた、通話用の電波を受信するステップと、受信した電波の強度を検出するステップと、検出した電波の強度に基づき、前記電波の強度に応じて予め決められた表現手法により画像を表示部に表示する表示モードを判定するステップと、判定された表示モードに基づき、表示部を制御するステップと、を備える表示制御方法を提供する。【００１２】
本発明はまた、コンピュータを、通話用の電波を受信する手段、受信した電波の強度を検出する手段、検出した電波の強度に基づき、前記電波の強度に応じて予め決められた表現手法により画像を表示部に表示する表示モードを判定する手段、判定された表示モードに基づき、表示部を制御する手段、として機能させるためのプログラムも提供する。
【発明の効果】
【００１３】
本発明によれば、通信機能を備えた表示装置において表示部に画像を表示している状態における通信品質の劣化を軽減させることができる。
【図面の簡単な説明】
【００１４】
【図１】本発明の第１実施形態に係る情報収集システムの概要を示す図である。
【図２】同実施形態に係る携帯電話端末の基本的な構成要素を示したブロック図である。
【図３】同実施形態における表示部の構成の一例について説明するための図である。
【図４】同実施形態における携帯電話端末の表示制御方法の一例について説明するためのフローチャートである。
【図５】同実施形態における携帯電話端末の表示制御方法の一例について説明するための参考図である。
【図６】本発明の第２実施形態に係る携帯電話端末の表示制御方法の一例について説明するためのフローチャートである。
【図７】同実施形態における携帯電話端末の表示制御方法の一例について説明するための参考図である。
【発明を実施するための形態】
【００１５】
［第１実施形態］
以下、図面を参照して本発明の一実施形態について説明する。図１は、本発明の一実施形態に係る情報収集システムの概要を示す図である。
本実施形態は、表示装置として携帯電話端末１を適用した場合を例示したものである。
図１は、この携帯電話端末が利用可能な通信ネットワークシステムを示したブロック図である。
携帯電話端末１には、通話機能、電子メール機能、インターネット接続機能（Ｗｅｂアクセス機能）のほか、デジタルテレビ放送（例えば、ワンセグ地上デジタルテレビ放送）を受信して視聴が可能なテレビ機能、及び３Ｄ（三次元）表示機能、録画機能などが備えられている。
３Ｄ表示機能は、左右の目の視差を利用した視差バリア方式によって、動画、静止画、テキスト、メニューなどの表示データ（コンテンツデータ）を、２Ｄ（二次元）表示させるのではなく３Ｄ画像で表示させる機能である。
録画機能は、テレビ放送などの受信コンテンツを録画（録音を含む、以下、同様）する機能で、録画に限らず、録音を行うコンテンツ記録機能である。
【００１６】
携帯電話端末１は、最寄りの基地局２Ａと交換機２Ｂとを介して、無線通信網（移動体通信網）２に接続されると、この無線通信網２を介して他の携帯電話端末１との間で通話可能な状態となる。
また、携帯電話端末１は、無線通信網２を介してインターネット３に接続されると、Ｗｅｂサイトをアクセスして閲覧可能となり、また、情報配信装置４から動画、静止画、音楽、ニュース、音楽などのマルチメディアのコンテンツをインターネット３、無線通信網２を介してダウンロードして再生するストリーミングが可能となる。
【００１７】
また、携帯電話端末１は、テレビ局５から送信アンテナ６を介して発信された地上波デジタル放送（放送コンテンツ）を受信する。なお、携帯電話端末１は、インターネットラジオのように、無線通信網２、インターネット３を介して情報配信装置４からデジタル放送をダウンロード受信したりすることもできる。
このように携帯電話端末１は、テレビ機能などを介して放送コンテンツを受信したり、インターネット接続機能を介してストリーミング用コンテンツをダウンロード受信したりすることができるようになっている。
その他に、着脱自在な可搬型メモリカードなどの記録メディア７から各種コンテンツを取得したり、Bluetooth（登録商標）通信、赤外線通信などの近距離通信を介して他の携帯電話機などの外部機器８から各種のコンテンツを取得したりすることができるようになっている。
【００１８】
図２は、携帯電話端末１の基本的な構成要素を示したブロック図である。
携帯電話端末１は、ＣＰＵ１０１と、電源部１０２と、記憶部１０３と、アプリ処理部１０４と、無線通信部１０５と、操作部１０６と、テレビ放送受信部１０７と、表示部１０８と、マイクＭＣと、スピーカーＳＫと、通信用の電波を受信するアンテナＡＴ１と、放送用の電波を受信するアンテナＡＴ２と、を備える。
【００１９】
ＣＰＵ１０１は、二次電池を備えた電源部１０２からの電力供給によって動作し、記憶部１０３に保管された各種のプログラムに従って携帯電話端末１の全体動作を制御する中央演算処理装置やメモリなどを有している。なお、ＣＰＵ１０１内の各構成の説明については、後述する。
電源部１０２は、二次電池を備え、携帯電話端末１の各構成部分に二次電池からの電力を供給する（図２では、各構成部分に向かう矢印は省略している）。
記憶部１０３は、携帯電話端末１の処理に用いる種々の情報を記憶する。この記憶部１０３は、例えば、プログラム記憶領域Ｍ１、一時記憶領域Ｍ２、表示情報記憶領域Ｍ３、コンテンツ記憶領域Ｍ４を含む。
なお、記憶部１０３は、例えば、ＳＤカード、ＩＣカードなど、着脱自在な可搬型メモリ（記録メディア）を含む構成であってもよく、また、図示しない所定の外部サーバ上にあってもよい。
【００２０】
プログラム記憶領域Ｍ１は、後述する図４に示す動作手順に応じて本実施形態を実現するためのプログラムや各種のアプリケーションなどを記憶する記憶領域である。
一時記憶領域Ｍ２は、携帯電話端末１が動作するために必要な各種の情報を一時的に記憶するワーク領域である。
表示情報記憶領域Ｍ３は、判定部１１３が判定時に参照する情報を記憶する記憶領域である。この表示情報記憶領域Ｍ３は、例えば、表示する画像の次元を変更するための閾値として予め決められている表示次元判定閾値Ｔｈ１０と、この表示次元判定閾値Ｔｈ１０によって区分される受信レベル値の範囲に対応する表示モードとを記憶する。
コンテンツ記憶領域Ｍ４は、例えば、テレビ放送受信部１０７が受信したコンテンツデータを記憶する記憶領域である。
【００２１】
アプリ処理部１０４は、電子メール機能、インターネット接続機能、テレビ機能などのアプリケーション処理に関する情報を記憶し、その処理に関する制御を行う。
【００２２】
無線通信部１０５は、無線部１５１、ベースバンド部１５２、多重分離部１５３などを備える。
この無線部１５１は、例えば、通話機能、電子メール機能、インターネット接続機能などの動作時に、アンテナＡＴ１を介して、最寄りの基地局２Ａとの間でデータの送受信を行う。
無線通信部１０５は、通話機能が動作している時に、無線部１５１が受信した信号をベースバンド部１５２の受信側から取り込んで受信ベースバンド信号に復調した後、ＣＰＵ１０１を介して通話用のスピーカーＳＰから音声出力させる。
また、無線通信部１０５は、通話用マイクＭＣから入力された音声データをＣＰＵ１０１から取り込み、多重分離部１５３を介して送信ベースバンド信号に符号化した後、ベースバンド部１５２の送信側に入力させる。そして、無線通信部１０５は、ベースバンド部１５２に入力した信号を無線部１５１を介して、アンテナＡＴ１から発信出力させる。
【００２３】
操作部１０６は、ダイヤル入力、文字入力、コマンド入力などの操作入力を受け付け、操作入力の内容を示す操作信号をＣＰＵ１０１に出力する。ＣＰＵ１０１は、操作部１０６から入力される操作信号に応じた処理を実行する。
【００２４】
テレビ放送受信部１０７は、テレビ機能を構成するもので、携帯端末装置向けのワンセグ地上波デジタルテレビ放送のほか、電子番組表（ＥＰＧ情報）などの番組情報も含めて受信する。
このテレビ放送受信部１０７は、テレビ用のアンテナＡＴ２によって受信したテレビ放送信号の中から予め選局されているチャンネルの放送信号を抽出するアナログ回路部と、抽出した放送信号をデジタル変調するデジタル回路部とを備える。
このデジタル回路部は、例えば、受信した放送信号をＯＦＤＭ（直交周波数分割多重）復調したり、多重化されている放送信号から映像、音声、データ（文字データ）を分離して復号化したり、圧縮データの解凍などを行う。
【００２５】
表示部１０８は、２Ｄ画像を表示する２Ｄ表示部１８１(表示用液晶パネル）と、３Ｄ画像を表示する３Ｄ表示部１８２（視差バリア液晶パネル）と、を含む。この表示部１０８の構成の一例について、図３を参照して説明する。
なお、本実施形態に係る表示部１０８は、裸眼で３Ｄ画像を表示可能な視差バリア方式を利用するものである。
【００２６】
図３に示す通り、表示部１０８は、２Ｄ表示部１８１である表示用液晶パネルＤＰ１と、３Ｄ表示部１８２である視差バリア液晶パネルＤＰ２とを備える。
この表示部１０８は、２Ｄ表示部１８１である表示用液晶パネルＤＰ１を使用し、例えば、文字情報、待受画像、テレビ映像、撮影画像などの表示データ（コンテンツデータ）を、２Ｄ画像により表示する。
また、表示部１０８は、２Ｄ表示部１８１である表示用液晶パネルＤＰ１と、３Ｄ表示部１８２である視差バリア液晶パネルＤＰ２とを使用し、表示データを３Ｄ画像により表示することも可能となっている。
視差バリア液晶パネルＤＰ２と、表示用液晶パネルＤＰ１とは、互いが平行になるように配置されている。また、視差バリア液晶パネルＤＰ２は、表示用液晶パネルＤＰ１よりも表示面側に設置されている。これにより、表示用液晶パネルＤＰ１から出射する光は、視差バリア液晶パネルＤＰ２を透過してユーザ側に表示される。
【００２７】
この視差バリア液晶パネルＤＰ２が、表示用液晶パネルＤＰ１から出射する光を全て透過させる場合、表示部１０８は、２Ｄ画像を表示する。
一方、視差バリア液晶パネルＤＰ２が動作され、図３に示すように、右目と左目にそれぞれ別々の画像を見せるように動作された場合、表示部１０８は、３Ｄ画像を表示する。
具体的に説明すると、３Ｄ画像を表示する場合、互いに少しずらした右目用の表示データと左目用の表示データとを用意し、それら２つの表示データを同時に、表示用液晶パネルＤＰ１に表示させる。また、視差バリア液晶パネルＤＰ２は、右目用の表示データが右目で見えて左目では見えないように、左目用の表示データが左目で見えて右目では見えないようにするために、光の経路を遮断する。このようにして、表示データを立体に見せることができる。
【００２８】
図２に戻って、ＣＰＵ１０１の構成の一例について詳細に説明する。
ＣＰＵ１０１は、音声信号処理部１１１と、受信強度検出部１１２と、判定部１１３と、放送信号制御部１１４と、表示制御部１１５と、コンテンツ制御部１１６とを備える。
音声信号処理部１１１は、無線通信部１０５によって復調された受信ベースバンド信号が入力されると、当該受信ベースバンド信号に基づき、通話用スピーカＳＰから音声出力させる。また、音声信号処理部１１１は、通話用マイクＭＣからの入力音声データが入力されると、送信ベースバンド信号に符号化した後、無線通信部１０５のベースバンド部の送信側に出力する。
受信強度検出部１１２は、無線通信部１０５の受信部１５１によって受信された電波の受信レベルを検出し、検出した受信レベルを示す値（受信レベル値）を判定部１１３に出力する。この受信強度検出部１１２が検出する受信レベルは、例えば、ＲＳＣＰ（Ｒｅｃｅｉｖｅｄ Ｓｉｇｎａｌ Ｃｏｄｅ Ｐｏｗｅｒ）、あるいは、ＲＳＳＩ（Ｒｅｃｅｉｖｅｄ Ｓｉｇｎａｌ Ｓｔｒｅｎｇｔｈ Ｉｎｄｉｃａｔｏｒ）等で示される。
【００２９】
判定部１１３は、受信強度検出部１１２が検出した受信レベル値に基づき、受信レベル値に応じて予め決められている表示モードを判定する。この表示モードとは、それぞれ異なる表現手法により画像を表示するモードである。
この表示モードとしては、例えば、表示部１０８に２Ｄ画像を表示させる２Ｄ表示モードと、表示部１０８に３Ｄ画像を表示させる３Ｄ表示モードとがある。
判定部１１３は、表示する画像の次元を変更する閾値として予め決められている表示次元判定閾値Ｔｈ１０と、受信強度検出部１１２により検出された受信レベル値とを比較する。受信強度検出部１１２により検出された受信レベル値が表示次元判定閾値Ｔｈ１０未満である場合、判定部１１３は、２Ｄ表示部１８１を利用して２Ｄ画像を表示する２Ｄ表示モードであると判定する。一方、受信強度検出部１１２により検出された受信レベル値が表示次元判定閾値Ｔｈ１０以上である場合、判定部１１３は、３Ｄ表示部１８２を利用して３Ｄ画像を表示する３Ｄ表示モードであると判定する。
【００３０】
放送信号制御部１１４は、受信した画像をリアルタイムで表示することが設定されている場合、テレビ放送受信部１０７から入力するデジタル変調された放送信号に基づき、表示データを表示部１０８に表示するよう、表示制御部１１５を制御する。また、受信した画像を記憶部１０３に格納してその後表示することが設定されている場合、放送信号制御部１１４は、テレビ放送受信部１０７から入力するデジタル変調された放送信号を記憶部１０３の表示情報記憶領域Ｍ３に格納する。
【００３１】
表示制御部１１５は、判定部１１３により判定された表示モードに基づき、表示部１０８を制御する。
例えば、判定部１１３により２Ｄ表示モードであると判定された場合、表示制御部１１５は、放送信号制御部１１４あるいはコンテンツ制御部１１６から入力される表示データを２Ｄ画像で表示するように表示部１０８を制御する。つまり、表示制御部１１５は、表示部１０８の２Ｄ表示部１８１を駆動して、表示部１０８に２Ｄ画像を表示させる。
また、判定部１１３により３Ｄ表示モードであると判定された場合、表示制御部１１５は、放送信号制御部１１４あるいはコンテンツ制御部１１６から入力される表示データを３Ｄ画像で表示するように表示部１０８を制御する。つまり、表示制御部１１５は、表示部１０８の２Ｄ表示部１８１と３Ｄ表示部１８２とを駆動して、表示部１０８に３Ｄ画像を表示させる。
【００３２】
コンテンツ制御部１１６は、操作部１０６を介して記憶部１０３に格納されている表示データ（コンテンツデータ）を表示部１０８に表示させることが指示された場合、記憶部１０３の表示情報記憶領域Ｍ３から指定された表示データを読み出し、読み出した表示データに基づく画像を表示部１０８に表示するよう、表示制御部１１５を制御する。
【００３３】
次に、図４、５を参照して、本実施形態に係る携帯電話端末１の表示制御方法の一例について説明する。図４は、本実施形態に係る携帯電話端末１の表示制御方法の一例について説明するためのフローチャートである。なお、図５は、本実施形態に係る携帯電話端末１の表示制御方法の一例について説明するための参考図である。
（ステップＳＴ１）
図４、５に示す通り、受信レベル値が表示次元判定閾値Ｔｈ１０以上である場合（時刻ｔ１〜ｔ２の期間）、表示制御部１１５は、放送信号制御部１１４あるいはコンテンツ制御部１１６から入力する表示データを３Ｄ画像で表示するように表示部１０８を制御する。そして、表示制御部１１５は、表示部１０８の２Ｄ表示部１８１と３Ｄ表示部１８２を駆動して、表示部１０８に３Ｄ画像を表示させる。
（ステップＳＴ２）
判定部１１３は、受信強度検出部１１２から出力される受信レベル値と、予め決められた表示次元判定閾値Ｔｈ１０とを比較する。
【００３４】
（ステップＳＴ３）
ここで、受信レベル値が表示次元判定閾値Ｔｈ１０以上から表示次元判定閾値Ｔｈ１０未満に変化する（時刻ｔ２）。
受信強度検出部１１２から入力する受信レベル値が表示次元判定閾値Ｔｈ１０未満である場合、判定部１１３は、２Ｄ表示部１８１を利用して２Ｄ画像を表示する２Ｄ表示モードであると判定する。そして、表示制御部１１５は、放送信号制御部１１４あるいはコンテンツ制御部１１６から入力する表示データを２Ｄ画像で表示するように表示部１０８を制御する。そして、表示制御部１１５は、表示部１０８の２Ｄ表示部１８１を駆動して、表示部１０８に２Ｄ画像を表示させる（時刻ｔ２〜ｔ３の期間）。
【００３５】
（ステップＳＴ４）
一方、ステップＳＴ２において、受信強度検出部１１２から入力する受信レベル値が表示次元判定閾値Ｔｈ１０以上である場合、判定部１１３は、３Ｄ表示部１８２を利用して３Ｄ画像を表示する３Ｄ表示モードであると判定する。そして、表示制御部１１５は、放送信号制御部１１４あるいはコンテンツ制御部１１６から入力する表示データを３Ｄ画像で表示するように表示部１０８を制御する。即ち、表示制御部１１５は、表示部１０８の２Ｄ表示部１８１と３Ｄ表示部１８２を駆動して、表示部１０８に３Ｄ画像を表示させる。
【００３６】
（ステップＳＴ５）
次いで、判定部１１３は、受信強度検出部１１２から出力される受信レベル値と、予め決められた表示次元判定閾値Ｔｈ１０とを比較する。
（ステップＳＴ６）
ここで、受信レベル値が表示次元判定閾値Ｔｈ１０未満から表示次元判定閾値Ｔｈ１０以上に変化する（時刻ｔ３）。
受信強度検出部１１２から入力する受信レベル値が表示次元判定閾値Ｔｈ１０以上である場合、判定部１１３は、３Ｄ表示部１８２を利用して３Ｄ画像を表示する３Ｄ表示モードであると判定する。そして、表示制御部１１５は、放送信号制御部１１４あるいはコンテンツ制御部１１６から入力する表示データを３Ｄ画像で表示するように表示部１０８を制御する。そして、表示制御部１１５は、表示部１０８の２Ｄ表示部１８１と３Ｄ表示部１８２を駆動して、表示部１０８に３Ｄ画像を表示させる（時刻ｔ３〜ｔ４の期間）。そして、ステップＳＴ２に戻る。
【００３７】
（ステップＳＴ７）
一方、ステップＳＴ５において、受信強度検出部１１２から入力する受信レベル値が表示次元判定閾値Ｔｈ１０未満である場合、判定部１１３は、２Ｄ表示部１８１を利用して２Ｄ画像を表示する２Ｄ表示モードであると判定する。そして、表示制御部１１５は、放送信号制御部１１４あるいはコンテンツ制御部１１６から入力する表示データを２Ｄ画像で表示するように表示部１０８を制御する。そして、表示制御部１１５は、表示部１０８の２Ｄ表示部１８１を駆動して、表示部１０８に２Ｄ画像を表示させる。
【００３８】
上述の通り、本実施形態に係る携帯電話端末１の表示制御方法は、通話用電波の受信レベル値が表示次元判定閾値Ｔｈ１０以上に変化した場合に、３Ｄ表示に切り替えるとともに、通話用電波の受信レベル値が表示次元判定閾値Ｔｈ１０未満に変化した場合に、２Ｄ表示に切り換える。これにより、受信レベル値が低い場合は、３Ｄ表示部１８２を駆動せずに、２Ｄ表示部１８１を駆動して、２Ｄ画像を表示部１０８に表示することができる。
よって、受信レベル値が低い場合は、駆動する回路部を減らし、回路の駆動により発生するノイズを低減し、通話用電波の受信レベル値の低下を防止することができる。
言い換えると、携帯電話端末１は、通話用電波の受信レベル値が低い場合は、通話用電波に対するノイズを低減し、通話用電波の受信レベルを確保することができる。これにより、表示部１０８に３Ｄ画像を表示させていた場合であっても、通話用電波の受信レベル値が低い場合は２Ｄ画像に変更して表示データの画像を表示しながら、画像を表示させるための回路駆動により発生するノイズにより、受信レベルが低い状態においてさらに受信レベルが低下することを防止することができる。
【００３９】
なお、本実施形態に係る携帯電話端末１は、上記形態に限られず、例えば、以下に説明するような表示モードの切り替えを判定するものであってもよい。
例えば、表示部１０８に表示する画像の解像度を低いレベルの解像度で表示させる低解像度表示モードと、表示部１０８に表示する画像の解像度を高いレベルの解像度で表示させる高解像度表示モードとがある。なお、低いレベルの解像度は、高いレベルの解像度よりも低いという関係が成立つ。
この場合、判定部１１３は、表示する画像の解像度を変更する閾値として予め決められている解像度判定閾値Ｔｈ２０と、受信強度検出部１１２により検出された受信レベル値とを比較する。
受信強度検出部１１２により検出された受信レベル値が解像度判定閾値Ｔｈ２０未満である場合、判定部１１３は、表示モードが、表示部１８１に表示している画像を予め決められた低いレベルの解像度で画像を表示する低解像度表示モードであると判定する。一方、受信強度検出部１１２により検出された受信レベル値が解像度判定閾値Ｔｈ２０以上である場合、判定部１１３は、表示モードが、表示部１８１に表示している画像を予め決められた高いレベルの解像度で画像を表示する高解像度表示モードであると判定する。
【００４０】
そして、通話用電波の受信レベル値が解像度判定閾値Ｔｈ２０以上に変化した場合に、画像の解像度を高いレベルの解像度に切り替えるとともに、通話用電波の受信レベル値が解像度判定閾値Ｔｈ２０未満に変化した場合に、画像の解像度を低いレベルの解像度に切り換える。
これにより、受信レベル値が低い場合は、表示部１０８に表示する表示データの容量を軽減して、ＣＰＵ１０１が表示部１０８を駆動するための処理負荷を低減させることができる。よって、ＣＰＵ１０１の処理負荷が増大することにより発生するノイズにより、受信レベルが低い状態においてさらに受信レベルが低下することを防止することができる。
【００４１】
また、本実施形態に係る携帯電話端末１は、上記形態に限られず、例えば、以下に説明するような表示モードの切り替えを判定するものであってもよい。
例えば、表示部１０８に表示する画像のフレームレートを低いレベルのフレームレートで表示させる低フレームレート表示モードと、表示部１０８に表示する画像のフレームレートを高いレベルのフレームレートで表示させる高フレームレート表示モードとがある。なお、低いレベルのフレームレートは、高いレベルのフレームレートよりも低いという関係が成立つ。
この場合、判定部１１３は、表示する画像のフレームレートを変更する閾値として予め決められているフレームレート判定閾値Ｔｈ３０と、受信強度検出部１１２により検出された受信レベル値とを比較する。
受信強度検出部１１２により検出された受信レベル値がフレームレート判定閾値Ｔｈ３０未満である場合、判定部１１３は、表示モードが、表示部１８１に表示している画像を予め決められた低いレベルのフレームレートで画像を表示する低フレームレート表示モードであると判定する。一方、受信強度検出部１１２により検出された受信レベル値がフレームレート判定閾値Ｔｈ３０以上である場合、判定部１１３は、表示モードが、表示部１８１に表示している画像を予め決められた高いレベルのフレームレートで画像を表示する高フレームレート表示モードであると判定する。
【００４２】
そして、通話用電波の受信レベル値がフレームレート判定閾値Ｔｈ３０以上に変化した場合に、画像のフレームレートを高いレベルのフレームレートに切り替えるとともに、通話用電波の受信レベル値がフレームレート判定閾値Ｔｈ３０未満に変化した場合に、画像のフレームレートを低いレベルのフレームレートに切り換える。
これにより、受信レベル値が低い場合は、表示部１０８に表示する表示データのクロック周波数を低減し、高調波によるノイズの発生を抑え、受信レベルが低い状態においてノイズによりさらに受信レベルが低下することを防止することができる。
【００４３】
［第２実施形態］
次に、図６、７を参照して、本発明に係る第２実施形態について説明する。
本実施形態に係る携帯電話端末１は、上述の携帯電話端末１と同様の構成を有するため、同一の符号を付して、詳細な説明は省略する。
図６は、本実施形態に係る携帯電話端末１の表示制御方法の一例について説明するためのフローチャートである。なお、図７は、本実施形態に係る携帯電話端末１の表示制御方法の一例について説明するための参考図である。
【００４４】
本実施形態に係る携帯電話端末１の判定部１１３は、表示する画像の次元を３Ｄから２Ｄに変更する閾値として予め決められている下限表示次元判定閾値Ｔｈ１１と、表示する画像の次元を２Ｄから３Ｄに変更する閾値として予め決められている上限表示次元判定閾値Ｔｈ１２と用いて、受信レベル値に応じて予め決められている表示モードを判定する。
この下限表示次元判定閾値Ｔｈ１１は、上限表示次元判定閾値Ｔｈ１２よりも低い値であって、この下限表示次元判定閾値Ｔｈ１１と上限表示次元判定閾値Ｔｈ１２との間には、予め決められた値のずれがある。
【００４５】
判定部１１３は、３Ｄ画像を表示している状態において、下限表示次元判定閾値Ｔｈ１１と、受信強度検出部１１２により検出された受信レベル値とを比較する。
受信強度検出部１１２により検出された受信レベル値が下限表示次元判定閾値Ｔｈ１１未満である場合、判定部１１３は、２Ｄ表示部１８１を利用して２Ｄ画像を表示する２Ｄ表示モードであると判定する。つまり、３Ｄ画像を表示している状態において、受信レベル値が下限表示次元判定閾値Ｔｈ１１未満となった場合、３Ｄ表示モードから２Ｄ表示モードに切り換えられる。
一方、判定部１１３は、２Ｄ画像を表示している状態において、上限表示次元判定閾値Ｔｈ１２と、受信強度検出部１１２により検出された受信レベル値とを比較する。受信強度検出部１１２により検出された受信レベル値が上限表示次元判定閾値Ｔｈ１２以上である場合、判定部１１３は、３Ｄ表示部１８２を利用して３Ｄ画像を表示する３Ｄ表示モードであると判定する。つまり、２Ｄ画像を表示している状態において、受信レベル値が上限表示次元判定閾値Ｔｈ１２以上となった場合、２Ｄ表示モードから３Ｄ表示モードに切り換えられる。
なお、判定部１１３は、メモリ領域を内蔵しており、判定した表示モードを示す情報をメモリ領域に書き込む。
以下、図７のフローチャートに沿って説明する。
【００４６】
（ステップＳＴ１１）
携帯電話端末１の無線通信部１０５は、アンテナＡＴ１を介して通話用の電波を受信する。
（ステップＳＴ１２）
そして、ＣＰＵ１０１の受信強度検出部１１２は、無線通信部１０５が受信した電波の受信レベルを検出し、受信レベル値を判定部１１３に出力する。
（ステップＳＴ１３）
次いで、判定部１１３は、自身のメモリ領域に記憶されている現在の表示モードを確認する。
【００４７】
（ステップＳＴ１４）
そして、判定部１１３は、現在の表示モードが２Ｄ表示モードであるか、あるいは、３Ｄ表示モードであるかを判定する。
（ステップＳＴ１５）
ステップＳＴ１４において、現在の表示モードが２Ｄ表示モードであると判定された場合、判定部１１３は、受信強度検出部１１２により検出された受信レベル値が上限表示次元判定閾値Ｔｈ１２未満であるか否かを判定する。
（ステップＳＴ１６）
受信強度検出部１１２により検出された受信レベル値が上限表示次元判定閾値Ｔｈ１２未満であると判定された場合、判定部１１３は、２Ｄ表示部１８１を利用して２Ｄ画像を表示する２Ｄ表示モードであると判定する。つまり、表示制御部１１５は、引き続き、放送信号制御部１１４あるいはコンテンツ制御部１１６から入力する表示データを２Ｄ画像で表示するように表示部１０８を制御する。表示制御部１１５は、表示部１０８の２Ｄ表示部１８１を駆動して、表示部１０８に２Ｄ画像を表示させる。
（ステップＳＴ１７）
一方、受信強度検出部１１２により検出された受信レベル値が上限表示次元判定閾値Ｔｈ１２以上であると判定された場合（図７の時刻ｔ１３）、判定部１１３は、３Ｄ表示部１８２を利用して３Ｄ画像を表示する３Ｄ表示モードであると判定する。
そして、表示制御部１１５は、放送信号制御部１１４あるいはコンテンツ制御部１１６から入力する表示データを３Ｄ画像で表示するように表示部１０８を制御する。そして、表示制御部１１５は、表示部１０８の２Ｄ表示部１８１と３Ｄ表示部１８２を駆動して、表示部１０８に３Ｄ画像を表示させる。
そして、判定部１１３は、自身のメモリ領域に記憶されている現在の表示モードとして、３Ｄ表示モードを書き込む。
【００４８】
（ステップＳＴ１８）
また、ステップＳＴ１４において、現在の表示モードが３Ｄ表示モードであると判定された場合、判定部１１３は、受信強度検出部１１２により検出された受信レベル値が下限表示次元判定閾値Ｔｈ１１以上であるか否かを判定する。
（ステップＳＴ１９）
受信強度検出部１１２により検出された受信レベル値が下限表示次元判定閾値Ｔｈ１１以上であると判定された場合、判定部１１３は、３Ｄ表示部１８２を利用して３Ｄ画像を表示する３Ｄ表示モードであると判定する。
つまり、表示制御部１１５は、引き続き、放送信号制御部１１４あるいはコンテンツ制御部１１６から入力する表示データを３Ｄ画像で表示するように表示部１０８を制御する。表示制御部１１５は、表示部１０８の２Ｄ表示部１８１と３Ｄ表示部１８２を駆動して、表示部１０８に３Ｄ画像を表示させる。
（ステップＳＴ２０）
一方、受信強度検出部１１２により検出された受信レベル値が下限表示次元判定閾値Ｔｈ１１未満であると判定された場合（図７の時刻ｔ１２）、判定部１１３は、２Ｄ表示部１８１を利用して２Ｄ画像を表示する２Ｄ表示モードであると判定する。そして、表示制御部１１５は、放送信号制御部１１４あるいはコンテンツ制御部１１６から入力する表示データを２Ｄ画像で表示するように表示部１０８を制御する。そして、表示制御部１１５は、表示部１０８の２Ｄ表示部１８１を駆動して、表示部１０８に２Ｄ画像を表示させる（時刻ｔ１２〜ｔ１３の期間）。
そして、判定部１１３は、自身のメモリ領域に記憶されている現在の表示モードとして、２Ｄ表示モードを書き込む。
（ステップＳＴ２１）
次いで、判定部１１３は、予め決められた判定タイミングに到達したか否かを判定する。例えば、判定部１１３は、前回の判定処理から一定時間が経過した場合、判定タイミングに到達したと判定する。判定タイミングに到達したと判定した場合、ステップＳＴ１１に戻って処理を繰り返す
【００４９】
上述の通り、下限表示次元判定閾値Ｔｈ１１と、上限表示次元判定閾値Ｔｈ１２とを用いて、下限表示次元判定閾値Ｔｈ１１と上限表示次元判定閾値Ｔｈ１２との間に幅をもたせることによって、受信レベル値が下限表示次元判定閾値Ｔｈ１１や上限表示次元判定閾値Ｔｈ１２の付近である場合に、頻繁に表示モードが切り替わることを防止することができる。
【００５０】
なお、本実施形態に係る携帯電話端末１は、上記形態に限られず、例えば、以下に説明するような表示モードの切り替えを判定するものであってもよい。
例えば、判定部１１３は、表示部１０８に表示する画像の解像度を高いレベルの解像度から低いレベルの解像度に変更する閾値として予め決められている下限解像度判定閾値Ｔｈ２１と、表示部１０８に表示する画像の解像度を低いレベルの解像度から高いレベルの解像度に変更する閾値として予め決められている上限解像度判定閾値Ｔｈ２２と用いて、受信レベル値に応じて予め決められている表示モードを判定する。この下限解像度判定閾値Ｔｈ２１は、上限解像度判定閾値Ｔｈ２２よりも低い値であって、この下限解像度判定閾値Ｔｈ２１と上限解像度判定閾値Ｔｈ２２との間には、予め決められた値のずれがある。なお、この下限解像度判定閾値Ｔｈ２１と上限解像度判定閾値Ｔｈ２２とは、下限表示次元判定閾値Ｔｈ１１と上限表示次元判定閾値Ｔｈ１２との間にあることが好ましい。
【００５１】
判定部１１３は、高解像度表示モードに従って高解像度の画像を表示している状態において、下限解像度判定閾値Ｔｈ２１と、受信強度検出部１１２により検出された受信レベル値とを比較する。受信強度検出部１１２により検出された受信レベル値が下限解像度判定閾値Ｔｈ２１未満である場合、判定部１１３は、低解像度表示モードであると判定する。つまり、高解像度表示モードに従って高解像度の画像を表示している状態において、受信レベル値が下限解像度判定閾値Ｔｈ２１未満となった場合、表示されている画像が低解像度に切り換えられる。
一方、判定部１１３は、低解像度表示モードに従って低解像度の画像を表示している状態において、上限解像度判定閾値Ｔｈ２２と、受信強度検出部１１２により検出された受信レベル値とを比較する。受信強度検出部１１２により検出された受信レベル値が上限解像度判定閾値Ｔｈ２２以上である場合、判定部１１３は、高解像度表示モードであると判定する。つまり、低解像度表示モードに従って低解像度の画像を表示している状態において、受信レベル値が上限解像度判定閾値Ｔｈ２２以上となった場合、表示されている画像が高解像度に切り換えられる。
なお、判定部１１３は、メモリ領域を内蔵しており、判定した表示モードを示す情報をメモリ領域に書き込む。
判定部１１３は、上述の図６を参照して説明した方法と同様にして、表示モードを判定する。
【００５２】
これにより、受信レベル値が低減する環境において３Ｄ表示している場合、２Ｄ表示に切り換えることなく、解像度を落として、受信レベルがノイズにより低減しないようにすることができる。
【００５３】
なお、同様にして、判定部１１３は、表示部１０８に表示する画像のフレームレートを高いレベルのフレームレートから低いレベルのフレームレートに変更する閾値として予め決められている下限フレームレート判定閾値Ｔｈ３１と、表示部１０８に表示する画像のフレームレートを低いレベルのフレームレートから高いレベルのフレームレートに変更する閾値として予め決められている上限フレームレート判定閾値Ｔｈ３２と用いて、受信レベル値に応じて予め決められている表示モードを判定する。この下限フレームレート判定閾値Ｔｈ３１と上限フレームレート判定閾値Ｔｈ３２とは、下限表示次元判定閾値Ｔｈ１１と上限表示次元判定閾値Ｔｈ１２との間の値であることが好ましい。
【００５４】
また、本実施の形態に係る携帯電話端末１は、内部にコンピュータシステムを有している。そして、動作の過程は、プログラムの形式でコンピュータ読み取り可能な記録媒体に記憶されており、このプログラムをコンピュータシステムが読み出して実行することによって、上記処理が行われる。ここでいう「コンピュータシステム」とは、ＣＰＵ及び各種メモリやＯＳ、周辺機器等のハードウェアを含むものである。
また、「コンピュータシステム」は、ＷＷＷシステムを利用している場合であれば、ホームページ提供環境（あるいは表示環境）も含むものとする。
【００５５】
また、各ステップを実現するためのプログラムをコンピュータ読み取り可能な記録媒体に記録して、また、この機能を実現するためのプログラムをコンピュータ読み取り可能な記録媒体に記録して、この記録媒体に記録されたプログラムをコンピュータシステムに読み込ませ、実行することにより、検出対象物の形状情報の推定値を算出する処理を行ってもよい。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムに既に記録されているプログラムとの組合せで実現できるもの、いわゆる差分ファイル（差分プログラム）であっても良い。
【産業上の利用可能性】
【００５７】
本発明によれば、通信機能を備えた表示装置において表示部に画像を表示している状態における通信品質の劣化を軽減させることができる。
【符号の説明】
【００５８】
１…携帯電話端末、１０１…ＣＰＵ、１０２…電源部、１０３…記憶部、１０４…アプリ処理部、１０５…無線通信部、１０６…操作部、１０７…テレビ放送受信部、１０８…表示部、ＭＣ…マイク、ＳＫ…スピーカー、ＡＴ１…通信用の電波を受信するアンテナ、ＡＴ２…放送用の電波を受信するアンテナ、１１１…音声信号処理部、１１２…受信強度検出部、１１３…判定部、１１４…放送信号制御部、１１５…表示制御部、１１６…コンテンツ制御部
【図１】
2013005736.tif 000003
【図２】
2013005736.tif 000004
【図３】
2013005736.tif 000005
【図４】
2013005736.tif 000006
【図５】
2013005736.tif 000007
【図６】
2013005736.tif 000008
【図７】
2013005736.tif 000009
【国際調査報告】
2013005736.tif 000010
2013005736.tif 000011
2013005736.tif 000012
2013005736.tif 000013